(57)【要約】【課題】用紙を切断しやすく安全性の高いプリンタを提供する。【解決手段】プリンタは、筐体と、収納部と、印刷部と、カッターと、支持部と、を備える。筐体は、一面に開口を有する箱状の本体部と、前記本体部の前記開口を開閉する蓋であって前記開口を閉じる位置にあるとき前記本体部との間に排紙口を形成するカバー部と、で構成される。収納部は、前記筐体内に設けられ、帯状の用紙が巻かれたロール紙を収納する。印刷部は、前記筐体内に設けられ、用紙に印刷する。カッターは、用紙の切断に用いる切れ刃を有する。支持部は、前記切れ刃が前記用紙を切断する際の使用位置と、前記使用位置よりも前記排紙口の縁に近接した非使用位置と、の間で移動自在に前記カッターを支持する。【選択図】図５
2018001719.tif 000002
【特許請求の範囲】
【請求項１】
一面に開口を有する箱状の本体部と、前記本体部の前記開口を開閉する蓋であって前記開口を閉じる位置にあるとき前記本体部との間に排紙口を形成するカバー部と、で構成される筐体と、
前記筐体内に設けられ、帯状の用紙が巻かれたロール紙を収納する収納部と、
前記筐体内に設けられ、用紙に印刷する印刷部と、
用紙の切断に用いる切れ刃を有するカッターと、
前記切れ刃が前記用紙を切断する際の使用位置と、前記使用位置よりも前記排紙口の縁に近接した非使用位置と、の間で移動自在に前記カッターを支持する支持部と、
を備えるプリンタ。
【請求項２】
前記支持部は、前記カバー部が前記開口を開放する位置にあるとき、前記カッターを前記非使用位置に位置させる
ことを特徴とする請求項１に記載のプリンタ。
【請求項３】
前記支持部は、前記カバー部が前記開口を閉じる位置にあるとき、前記カッターを前記使用位置に位置させる
ことを特徴とする請求項２に記載のプリンタ。
【請求項４】
前記支持部は、少なくとも前記排紙口から前記用紙が排出されたとき、前記カッターを前記非使用位置に位置させている
ことを特徴とする請求項２に記載のプリンタ。
【請求項５】
前記筐体は、前記非使用位置として、前記カッターが入り込む形状の窪みを、前記排紙口の縁に有する
ことを特徴とする請求項１〜４のいずれか１つに記載のプリンタ。
【発明の詳細な説明】
【技術分野】
【０００１】
本発明の実施形態は、プリンタに関する。
【背景技術】
【０００２】
連続紙に印刷するプリンタには、従来、用紙を切断するカッターを備えたものがある。カッターは、プリンタの筐体から外側へ用紙を排出する排紙口に設けられている。
【０００３】
連続紙を用いるプリンタは、筐体内に用紙の巻かれた部分（ロール部）を収納して用紙の先端を排紙口から出して使用を開始する。このため、排紙口は、筐体の開口部と当該開口部を開閉する蓋との間に設けられていることがある。この場合、蓋を開けた状態では、排紙口を構成する部分が二つに分かれる。
【０００４】
カッターは、二つに分かれた部分のいずれかに取り付けられている。したがって、カッターは、筐体の蓋を開けた状態では露出し、触れられる状態となる。このため、従来は、安全性を優先してカッターをモールド材で形成していたが、その分、満足な切れ味を得られなかった。
【発明の概要】
【発明が解決しようとする課題】
【０００５】
本発明が解決しようとする課題は、用紙を切断しやすく安全性の高いプリンタを提供することである。
【課題を解決するための手段】
【０００６】
実施形態のプリンタは、筐体と、収納部と、印刷部と、カッターと、支持部と、を備える。筐体は、一面に開口を有する箱状の本体部と、前記本体部の前記開口を開閉する蓋であって前記開口を閉じる位置にあるとき前記本体部との間に排紙口を形成するカバー部と、で構成される。収納部は、前記筐体内に設けられ、帯状の用紙が巻かれたロール紙を収納する。印刷部は、前記筐体内に設けられ、用紙に印刷する。カッターは、用紙の切断に用いる切れ刃を有する。支持部は、前記切れ刃が前記用紙を切断する際の使用位置と、前記使用位置よりも前記排紙口の縁に近接した非使用位置と、の間で移動自在に前記カッターを支持する。
【図面の簡単な説明】
【０００７】
【図１】図１は、実施形態のプリンタの外観を示す斜視図である。
【図２】図２は、カバー部を開放した状態のプリンタの外観を示す斜視図である。
【図３】図３は、プリンタの内部構造を概略的に示す縦断側面図である。
【図４】図４は、カバー部を開放した状態のプリンタの縦断側面図である。
【図５】図５は、切断部の外観を示す斜視図である。
【図６】図６は、カバー部を閉じた状態の平板部の位置を示す縦断側面図である。
【図７】図７は、カバー部を開放した状態の平板部の位置を示す縦断側面図である。
【発明を実施するための形態】
【０００８】
（第１実施形態）
実施形態について図面を用いて説明する。図１は、本実施形態のプリンタ１の外観を示す斜視図である。プリンタ１は、排紙口２を有する筐体３を有する。筐体３は、本体部３１とカバー部３２とに分かれる。
【０００９】
図２は、カバー部３２を開放した状態のプリンタ１の外観を示す斜視図である。本体部３１は、一面に開口３１ａを有する箱状の容器である。カバー部３２は、開口３１ａを開閉する蓋である。
【００１０】
カバー部３２は、一端部３２ａを、本体部３１に、回動自在に取り付けられている。カバー部３２は、一端部３２ａ中心に回動することにより、開口３１ａを閉じる位置と開放する位置との間で、移動する。
【００１１】
図１に戻り、排紙口２は、筐体３に形成されたスリット状の孔である。排紙口２は、カバー部３２が開口３１ａを閉じる位置にある状態で、開口３１ａとカバー部３２の先端部３２ｂとの間に、形成される。ここで、先端部３２ｂは、上述の一端部３２ａの対辺を含む部分である。
【００１２】
用紙４０１（後述）の幅方向に沿った排紙口２の寸法は、用紙４０１の幅の最大値に２〜３ｍｍ加算した値である。また、用紙４０１の厚さ方向に沿った排紙口２の寸法は、２〜３ｍｍ程度である。
【００１３】
図３は、プリンタ１の内部構造を概略的に示す縦断側面図である。図４は、カバー部３２を開放した状態のプリンタ１の縦断側面図である。プリンタ１は、筐体３内に、用紙収納部４、印刷部５、切断部６、バッテリー７などを備えている。
【００１４】
バッテリー７は、印刷部５や図示しない制御基板やセンサ、ＬＥＤ（Light  Emitting  Diode）等が消費する電力を供給する電源部である。
【００１５】
用紙収納部４は、半円筒状の底面４１および当該底面４１とカバー部３２の内側の半円筒状の天面４２とで囲まれる部分である。用紙収納部４は、帯状の用紙４０１（連続紙）がまかれたロール紙４００を収納する。ロール紙４００は、底面４１に載置される。用紙収納部４に収納されたロール紙４００から引き出された用紙４０１は、排紙口２から筐体３外へ排出される。
【００１６】
カバー部３２が開口３１ａを閉じる位置にある状態では、用紙収納部４から排紙口２までの区間に、用紙４０１が通る搬送路４３が形成される。
【００１７】
印刷部５は、ヘッド５１とプラテンローラ５２とを有し、用紙４０１を搬送しながら印刷する。ヘッド５１とプラテンローラ５２とは、搬送路４３を挟んで対向する。ヘッド５１は、例えば、複数並べられた発熱素子を有するラインサーマルヘッドである。プラテンローラ５２は、不図示のモータ等の駆動力を受けて回転するローラである。プラテンローラ５２は、ヘッド５１に用紙４０１を押し当て、回転することにより用紙４０１を搬送する。ヘッド５１は、所定のタイミングで所定の発熱素子に通電することにより、搬送される用紙４０１の所定の箇所を加熱する。
【００１８】
なお、プリンタ１は、図示しない制御部および開閉センサを備えている。開閉センサは、カバー部３２の開閉の状態を検知する。制御部は、開閉センサによりカバー部３２が開いていることが検知されているときには、印刷部５に印刷を行わせない。制御部は、カバー部３２が閉じていることを条件に、印刷を実行する。
【００１９】
本実施形態の切断部６は、本体部３１に取り付けられている。図２に示すように、切断部６は、長手方向が開口３１ａに沿うように設けられている。つまり、切断部６は、用紙４０１の幅方向に沿って設けられる。
【００２０】
この切断部６は、手動での用紙４０１の切断に用いるものである。すなわち、プリンタ１の使用者が用紙４０１の排出された部分をつまんで、切断部６に押し当てながら斜め方向に引くことにより、用紙４０１が、切断部６に押し当てられた部分から切り取られる。
【００２１】
この切断部６のように、用紙４０１が鋭角的に折り曲がるよう押し当てて切断するカッターは、排紙口２に設けられる。そのため、本実施形態のようにカバー部３２の開放時に排紙口２が分かれる構造のプリンタ１において、仮に従来のカッターが採用されていると、ロール紙４００の補充時などに使用者の手指を傷つけるおそれがあった。これに対して、本実施形態の切断部６は、カバー部３２が開放されていても、使用者が触れにくい構造である。
【００２２】
図５は、切断部６の外観を示す斜視図である。切断部６は、切れ刃６１を有する平板部（カッター）６２と、一対の支持部６３と、取付部６４とを有する。本実施形態における切断部６は、金属製である。
【００２３】
取付部６４は、切断部６を本体部３１に取り付けるための部分である。
【００２４】
平板部６２は、概ね長方形の平板状であって、長辺の一方（切断部６の取り付け状態で上側）に、切れ刃６１が形成されている。
【００２５】
切れ刃６１の長さは、用紙４０１の幅方向に沿った排紙口２の寸法と同様に、用紙４０１の幅の最大値に２〜３ｍｍ加算した値である。本実施形態における切れ刃６１は、鋸状（ぎざぎざ）に形成されている。
【００２６】
また、平板部６２は、下辺に、複数の用紙案内部６２ａを備えている。なお、当該「下辺」は、切れ刃６１の反対側の長辺（切断部６の取り付け状態で下側）である。用紙案内部６２ａは、平板部６２の下辺から突出した部分が、平板部６２の表面（用紙４０１に触れる面）側から裏面側へと湾曲させられたものである。用紙案内部６２ａは、用紙４０１が誤って平板部６２の裏面側に入り込むことを防いで、用紙４０１を排紙口２へと導く。
【００２７】
支持部６３は、切れ刃６１が排紙口２の縁に接する非使用位置と、切れ刃６１が排紙口２の縁から離れる使用位置と、の間で移動自在に、平板部６２を支持する。
【００２８】
支持部６３は、平板部６２の両端部と取付部６４との間に位置し、平板部６２と取付部６４とを繋いでいる。また、支持部６３は、弾性力を有し、板ばねとして機能する。
【００２９】
さらに、支持部６３は、平板部６２の表面側から斜め下向きに突出したレバー部６３ａを有している。レバー部６３ａは、各支持部６３が有しており、切断部６の両側部に設けられている。
【００３０】
レバー部６３ａは、カバー部３２が開口３１ａを閉じる位置にあるとき、カバー部３２の先端部３２ｂによって、下方へ押し下げられる。この押し下げ力を受けて、支持部６３は下方に湾曲し、これにより、平板部６２は、表面が斜め下方を向く姿勢をとる状態（使用状態）となる（図６参照）。図５に示す状態は、レバー部６３ａが押し下げられていない状態（非使用状態）である（図７参照）。本体部３１における開口３１ａの縁である部分には、非使用状態の平板部６２が入り込む窪み３１ｂが設けられている。
【００３１】
このような構成における動作を、以下に、図６および図７を参照して説明する。図６は、カバー部３２を閉じた状態の平板部６２の位置を示す縦断側面図である。図７は、カバー部３２を開放した状態の平板部６２の位置を示す縦断側面図である。なお、図６および図７は、プリンタ１の用紙４０１の幅方向中央部での切断面を示しているため、これらの図にレバー部６３ａは表れていない。
【００３２】
まず、図７に示すように、開口３１ａが開放されているとき、平板部６２は、平面が概ね鉛直方向に沿う姿勢をとり、窪み３１ｂに入り込み、収納されている。
【００３３】
一方、図６に示すように、カバー部３２が開口３１ａを閉じると、カバー部３２の先端部３２ｂが、レバー部６３ａを下方へ押し下げる。これにより、支持部６３が下向きに湾曲し、平板部６２が窪み３１ｂを出て、平板部６２の表面が斜め下向きになる。この動きにより、切れ刃６１は、開口３１ａの縁より１〜２ｍｍ程度離れた位置（使用位置）まで、窪み３１ｂ内（非使用位置）から移動する。切れ刃６１の使用位置は、排紙口２の用紙４０１の厚さ方向の中央付近である。
【００３４】
なお、カバー部３２が閉じた状態では、排紙口２から切れ刃６１が見えるが、排紙口２は、上述のように十分に狭いので（用紙４０１の厚さ方向のサイズが２〜３ｍｍ）、プリンタ１の使用者が切れ刃６１に触れて怪我をする心配はない。
【００３５】
このように、切れ刃６１は、カバー部３２の動きに伴って、開口３１ａの縁から出入りする方向に移動する。
【００３６】
開口３１ａが開放されているとき、切れ刃６１が窪み３１ｂに収納されていることにより、ロール紙４００の補充時などに、使用者が切れ刃６１に誤って触れて怪我をするなどの不都合が起こりにくくなる。したがって、本実施形態によれば、安全性の高いプリンタを提供することができる。また、この構造の採用により、切れ刃６１を切れ味のよい材質および形状とすることが可能となる。
【００３７】
また、カバー部３２が開口３１ａを閉じているとき、切れ刃６１が、開口３１ａの縁から離れ、排紙口２の中程に至ることにより、用紙４０１の切断に際して用紙４０１を切れ刃６１に押し当てるにあたって、十分な角度で用紙４０１を屈曲させることができる。したがって、用紙４０１の切断がしやすく、美しい切り口を得やすくなる。
【００３８】
以上のように、本実施形態では、平板部６２が、非使用位置と使用位置との間で移動自在であるので、ロール紙４００の補充の際など、平板部６２を非使用位置に置き、触れにくくすることができる。よって、本実施形態によれば、用紙４０１を切断しやすく安全性の高いプリンタを提供することができる。
【００３９】
また、本実施形態のように、カバー部３２の開閉に連動して平板部６２が移動する構成であると、使用者が意識的に平板部６２を移動させる必要がないので、利便性が高く、また、安全性も高い。
【００４０】
さらに、本実施形態のように、平板部６２の移動が回動であると、例えば非使用位置からの平行移動である場合と比べ、使用位置における平板部６２の角度を、用紙４０１を切断しやすい角度にすることができる。
【００４１】
なお、本実施形態では、携帯して使用可能な小型のプリンタ１への適用を例に説明したが、実施にあたっては、携帯しないサイズのプリンタに適用してもよい。
【００４２】
また、本実施形態では、切れ刃６１が開口３１ａの縁から出入りする構造としているが、実施にあたっては、窪み３１ｂがなくてもよい。つまり、切れ刃６１が、カバー部３２が開いた状態で、開口３１ａの縁よりも奥に入り込んでいなくても、開口３１ａの縁に接しているか、十分に近接していればよい（ここで、十分に近接とは、開口３１ａの縁との間に所定の隙間をあけた状態である。この隙間は、手指の皮膚が挟まれない程度の微小な隙間であって、例えば、１ｍｍ以下である）。このような構造であれば、平板部６２に手指が触れることはあっても、切れ刃６１で手指が傷つけられにくいので、本実施形態同様、十分な安全性を得ることができる。
【００４３】
さらに、本実施形態では、切断部６を本体部３１に取り付けているが、実施にあたっては、切断部６は、本体部３１およびカバー部３２のどちらに取り付けられるものであってもよく、切れ刃６１が、開口の縁に対して近接した位置と離間した位置との間で移動できるものであればよい。
【００４４】
また、本実施形態では、切断部６を移動させるための弾性を板ばね状の支持部６３で実現しているが、実施にあたっては、例えばトーションばねなど、他の種類のばねによって弾性を得てもよい。
【００４５】
さらに、本実施形態では、切断部６の支持部６３に弾性を持たせることによって、カバー部３２の開閉に伴う切れ刃６１の移動を実現しているが、実施にあたっては、別の手法で切れ刃６１の移動を実現させてもよい。以下に、その手法の例（例１〜例３）を示す。
【００４６】
（例１）カバー部３２の回動を切断部６に伝達する歯車等をプリンタ１に設け、カバー部３２の開閉動作に伴って平板部６２を所定角度回動させる。これにより、カバー部３２が開くと平板部６２が開口３１ａの縁に収納され（あるいは近接し）、閉じると平板部６２が開口３１ａの縁から離間する構成とする。
【００４７】
（例２）モータ等の電動力により、平板部６２を非使用位置（図７に示す位置）から使用位置（図６に示す位置）へ移動させる移動機構を、切断部６に設ける。移動機構が平板部６２を使用位置へ移動させるタイミングは、カバー部３２が閉じたときでもよいし、用紙４０１が排紙口２から排出されたときでもよい。
【００４８】
なお、プリンタ１は、従来、カバー部３２の開閉の状態を検知する開閉センサを備えているので、カバー部３２が閉じたことを開閉センサが検知したことを条件として、移動機構を稼働させる制御を行うことができる。
【００４９】
（例３）平板部６２をレール等に沿って非使用位置と使用位置との間でスライド移動できるよう構成し、各位置で平板部６２を移動不可能にロックする機構を、切断部６に設ける。スライド移動および各位置でのロックおよびロック解除は、使用者の手動で行う。
【００５０】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５１】
１    …プリンタ
２    …排紙口
３    …筐体
３１  …本体部
３１ａ…開口
３２  …カバー部
４    …用紙収納部（収納部）
４００…ロール紙
４０１…用紙
５    …印刷部
５１  …ヘッド
５２  …プラテンローラ
６    …切断部
６１  …切れ刃
６２  …平板部（カッター）
６３  …支持部
６３ａ…レバー部
６４  …取付部
【先行技術文献】
【特許文献】
【００５２】
【特許文献１】特開２０１５−２０８９５４号公報
【図１】
2018001719.tif 000003
【図２】
2018001719.tif 000004
【図３】
2018001719.tif 000005
【図４】
2018001719.tif 000006
【図５】
2018001719.tif 000007
【図６】
2018001719.tif 000008
【図７】
2018001719.tif 000009